(57)【要約】      （修正有）【課題】交換に便利であり、原料を節減可能であり、快適性を有する取り外し可能なオムツを提供する。【解決手段】取り外し可能なオムツは、前側部１１、および前側部１１に相対する後側部１２を有する第一パッド体を有する。後側部１２には、コットン層１２１を設置する。前側部１１および後側部１２は、第一収容空間を定義する。前側部１１と後側部１２の両側は対応して連接し２個の穿口を形成する。第二パッド体２をさらに有し、第一結合ユニット２１を備える。第一結合ユニット２１により、第二パッド体２は取り外し可能なように第一パッド体の前側部１１に結合される。第二パッド体２には、吸水層２３を設置する。吸水層２３は、高分子吸収体を有する。第二パッド体２は、第二収容空間を定義する。小便後には第二パッド体２だけを交換すればよいため、従来のオムツとは異なり、使用後に全体を交換しなくともよく、原料を節減することができる。【選択図】図１
0003202320.tif 000002
【実用新案登録請求の範囲】
【請求項１】
第一パッド体、および、第二パッド体を備え、
前記第一パッド体は、前側部、および前記前側部に相対する後側部を有し、前記後側部にコットン層が設置されており、前記前側部および前記後側部が第一収容空間を定義し、前記前側部と前記後側部の両側が対応して連接し２個の穿口を形成し、
前記第二パッド体は、第一結合ユニットを有し、前記第一結合ユニットにより取り外し可能に前記第一パッド体の前記前側部に結合されており、吸水層が設置されており、前記吸水層が高分子吸収体を有することを特徴とする取り外し可能なオムツ。
【請求項２】
前記第一結合ユニットは、前記第二パッド体の外側に設置されており、
前記第二パッド体は、前記第一結合ユニットが設置されている外側に相対する内側に第二結合ユニットが設置されており、前記第二結合ユニットにより、前記第二パッド体の内側が移動可能に折り畳まれかつ固定されており、第二収容空間が定義されていることを特徴とする請求項１に記載の取り外し可能なオムツ。
【請求項３】
前記第二パッド体は、前記第二収容空間と連通する挿入口を有し、前記挿入口を包囲する複数の挟持部を有することを特徴とする請求項２に記載の取り外し可能なオムツ。
【請求項４】
前記第一パッド体には、互いに対応する２個の第一漏れ防止辺が設置されており、２個の前記第一漏れ防止辺が前記前側部および前記後側部に連接されており、
前記第二パッド体には、互いに対応する２個の第二漏れ防止辺が設置されており、２個の前記第二漏れ防止辺が前記吸水層に対応することを特徴とする請求項１に記載の取り外し可能なオムツ。
【考案の詳細な説明】
【技術分野】
【０００１】
本考案は、取り外し可能なオムツに関する。
【背景技術】
【０００２】
特許文献１に開示する「布オムツ」は、本体を備え、本体内には着用空間を定義する。
着用空間は、前係止部、後係止部および前係止部と後係止部との間に連接する接続部により包囲され、腰部開口および２個の腿部開口を形成する。
同時に、本体の腰部開口内側には、少なくとも２個の連接ユニットを設置し、これにより吸水パッド体或いはチューブ等の付属物を迅速に取り外し、取り外し／連接することができる。
【０００３】
上述した構造により、着用者の排泄後には、付属物を取り外し洗浄するだけでよく、時短と省力および清潔保持の効果を達成することができる。
【先行技術文献】
【特許文献】
【０００４】
【特許文献１】台湾実用新案番号第Ｍ３８２８１５号明細書
【考案の概要】
【考案が解決しようとする課題】
【０００５】
しかし、上述した考案は、使用上に欠点があり、改善する必要がある。その原因は下記の通りである。
【０００６】
特許文献１は、確かに取り外し可能であるが、実際に排泄物を受けるパッド体は付属物に過ぎず、本体は着用緩衝用で排泄物を受ける機能を備えないという問題がある。
本考案は、上述の問題に鑑みてなされたものであり、その目的は、取り外し可能なオムツを提供することにある。
【課題を解決するための手段】
【０００７】
本考案による取り外し可能なオムツは、前側部、および前側部に相対する後側部を有する第一パッド体を有する。
後側部には、コットン層を設置する。
前側部および後側部は、第一収容空間を定義する。
前側部と後側部の両側は対応して連接し、２個の穿口を形成する。
【０００８】
本考案による取り外し可能なオムツは、第二パッド体をさらに有し、結合ユニットを備える。
結合ユニットにより、第二パッド体は取り外し可能なように第一パッド体の前側部に結合される。
第二パッド体には、吸水層を設置する。
吸水層は、高分子吸収体を有する。
【０００９】
結合ユニットは、第二パッド体の外側に設置され、第二パッド体には、外側に相対する内側に位置するもう一つの結合ユニットを設置する。
もう一つの結合ユニットにより、第二パッド体の内側は可動するように折り畳まれて固定され、第二収容空間を定義する。
【００１０】
第二パッド体には、第二収容空間まで連通する挿入口を設置し、且つ第二パッド体は、複数の挟持部を有し、挿入口を包囲する。
【００１１】
第一パッド体には、２個の第一漏れ防止辺を設置し、２個の第一漏れ防止辺は、前側部と後側部に連接する。
第二パッド体には、２個の第二漏れ防止辺を設置し、２個の第二漏れ防止辺は、吸水層に対応する。
【００１２】
本考案の効果は下記の通りである。
（１）吸水層を備える第二パッド体は、第一パッド体の前側部に取り外し可能なように結合され、第二パッド体は高分子吸収体により使用者の尿を吸収し、飽和時には第二パッド体を交換し、第一パッド体はコットン層により使用者の糞便を受け止め、コットン層は高分子吸収体を備えないため安価で、小便後には第二パッド体だけを交換すればよいため、従来のオムツとは異なり、使用後に全体を交換しなくともよく、原料を節減することができる。
【００１３】
（２）第二パッド体の挿入口は第一収容空間まで連通するため、男性使用者の生殖器を挿入口に固定し、尿を吸水層へと導入し漏れを防止することができる。
【図面の簡単な説明】
【００１４】
【図１】本考案の第一実施形態による取り外し可能なオムツを示す分解模式図である。
【図２】本考案の第一実施形態による取り外し可能なオムツを示す組合せ模式図である。
【図３】本考案の第一実施形態による取り外し可能なオムツの使用模式図である。
【図４】本考案の第一実施形態による取り外し可能なオムツの組合せ模式図である。
【図５】本考案の第二実施形態による取り外し可能なオムツの使用模式図である。
【考案を実施するための形態】
【００１５】
本考案の実施形態による取り外し可能なオムツを図面に基づいて説明する。
（第一実施形態）
図１〜図３に示すように、本考案の第一実施形態による取り外し可能尿部は、前側部１１、および前側部１１に相対する後側部１２を有する第一パッド体１を有する。
【００１６】
後側部１２には、コットン層１２１を設置する。
コットン層１２１は、使用者が排泄した糞便を受け止める。
前側部１１および後側部１２は、第一収容空間１３を定義する。
前側部１１と後側部１２の両側は相対して連接し、２個の穿口を形成する。
着用方式は従来のオムツと同様であるため、ここでは記述しない。
【００１７】
第一パッド体１には、対応する２個の第一漏れ防止辺１４を設置し、２個の第一漏れ防止辺１４は、前側部１１と後側部１２に連接する。
【００１８】
さらに、第一結合ユニット２１を備える第二パッド体２を有する。
第一結合ユニット２１により、第二パッド体２は取り外し可能なように第一パッド体１の前側部１１に結合される。
第一結合ユニット２１は、第二パッド体２の外側に設置される。
第二パッド体２には、内側に位置される第二結合ユニット２２が設置される。
第二結合ユニット２２により、第二パッド体２の内側は可動するように折り畳まれて固定される。
【００１９】
第二パッド体２には、吸水層２３を設置する。
吸水層２３は、高分子吸収体を有する。
第二パッド体２は、第二収容空間２４を定義する。
第二パッド体２には、対応する２個の第二漏れ防止辺２５を設置する。
【００２０】
２個の第二漏れ防止辺２５は、吸水層２３に対応する。
第一結合ユニット２１と第二結合ユニット２２は、本実施形態中では接着剤面で、取り外し可能なように接着して固定することができる。
【００２１】
本実施形態では男性使用者のオムツで、第二パッド体２には、第二収容空間２４まで連通する挿入口２６を設置する。
且つ第二パッド体２は、挿入口２６を包囲する複数の挟持部２７を有し、挿入口２６に、男性使用者は生殖器Ａを挿入することができる。
第二パッド体２は、第一結合ユニット２１により、第一パッド体１の前側部１１に固定され、さらに第二結合ユニット２２を通して、第二パッド体２を相対的に折り畳んで設置する。
男性使用者は、生殖器を挿入口２６に挿入し、尿を第二収容空間２４に導入し、吸水層２３により尿を吸収する。
【００２２】
高分子吸収体が飽和状態となり、それ以上の水分を吸収できなくなったなら、第二パッド体２の第一結合ユニット２１を、第一パッド体１の前側部１１から取り外し、新しい第二パッド体２に交換する。
こうして、使用者の着用時には乾いたさわやかさを保持することができる。
且つ２個の第二漏れ防止辺２５を吸水層２３に対応させて設置し、および複数の挟持部２７により生殖器Ａを固定するため、第二パッド体２を交換、或いは使用者の尿の排泄時に、第二収容空間２４内の尿が溢出することを防止できる。
【００２３】
且つ第二パッド体２の高分子吸収体は、比較的多くの水分を吸収できるため、使用者の排泄物が尿である時には、第二パッド体２を交換するだけでよい。
排泄物が糞便であるなら、第一パッド体１を交換し、第二パッド体２が糞便による汚染を受けていないかに応じて、いっしょに交換するかどうかを決定する。
小便の回数は普通大便の回数よりも多く、且つコットン層１２１は高分子吸収体を備えないため、コストを抑えることができる。
よって、従来のオムツとは異なり、使用後にすべてを交換し、余分な高分子吸収体を無駄にしてしまうことはない。
【００２４】
（第二実施形態）
図４および図５に示すように、本考案の第二実施形態による女性用のオムツは、第二パッド体２Ａを有する。
第二パッド体２Ａには、吸水層２１Ａを設置する。
第二パッド体２Ａの外側は、第一パッド体１に対応し、第三結合ユニット２２Ａおよび第四結合ユニット２３Ａをそれぞれ設置し、第一パッド体１に可動するように固定される。
第三結合ユニット２２Ａは、前側部１１に取り外し可能なように結合される。
第四結合ユニット２３Ａは、後側部１２に取り外し可能なように結合される。
これにより、第二パッド体２Ａは、前側部１１と後側部１２との間に位置し、女性使用者に対応し取り外し可能なように設置される。
【００２５】
本実施形態の第二パッド体２Ａの構造と前述の実施形態の第二パッド体２はおおよそ相同であるが、以下の二点が異なる。
本実施形態は、前述の実施形態中の挿入口２６および前述の複数の挟持部２７を備えない。
且つ第二パッド体２Ａが第一パッド体１の前側部１１に密着する時、第二パッド体２Ａを相対させて折り畳む必要がなく、前側部１１とおおよそ重ねるだけでよく、第二パッド体２Ａの吸水層２１Ａにより、女性使用者が排泄した尿を吸収する。
【００２６】
女性使用者の排泄物が尿である時には、同様に、第二パッド体２Ａを交換するだけでよいが、女性使用者の排泄物が糞便である時には、第一パッド体１と第二パッド体２Ａを同時に交換し、オムツを衛生的に保つ必要がある。
【００２７】
上述の実施形態の説明を総合すると、本考案の操作、使用、および本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲および説明書の内容に基づいて、同等効果を有する簡単な変化および修飾は、全て、本考案の範囲内に属するものとする。
【符号の説明】
【００２８】
１  第一パッド体、
１１  前側部、
１２  後側部、
１２１  コットン層、
１３  第一収容空間、
１４  第一漏れ防止辺、
２  第二パッド体、
２Ａ  第二パッド体、
２１  第一結合ユニット、
２１Ａ  吸水層、
２２  第二結合ユニット、
２３  吸水層、
２４  第二収容空間、
２５  第二漏れ防止辺、
２６  挿入口、
２７  挟持部。
【図１】
0003202320.tif 000003
【図２】
0003202320.tif 000004
【図３】
0003202320.tif 000005
【図４】
0003202320.tif 000006
【図５】
0003202320.tif 000007